(57)【要約】【課題】機器間の映像音声情報以外の情報を伝送するための情報伝送時間の短縮化を図ること。【解決手段】送信装置であるチューナ装置１０は情報の送信準備をして（Ｓ４０１）送信開始通知を送信し（Ｓ４２１）、受信装置であるモニタ装置１１０は情報の受信準備をして（Ｓ４１１）準備完了通知を送信する（Ｓ４２２）。チューナ装置１０は出力バッファに送信データを書き込んで（Ｓ４０３）、書き込みが完了すると書き込み完了通知を送信し（Ｓ４２３）、書き込んだデータを順次出力する。この通知を受信したモニタ装置１１０は、入力バッファに入力されたデータをチェックして（Ｓ４１３）、正常であればこのデータを取得（Ｓ４１５）して確認完了通知を送信する（Ｓ４２４）。この通知を受信したチューナ装置１０は全てのデータを送信完了していたら送信完了通知を送信する（Ｓ４２５）。【選択図】  図４
2015039051.tif 000002
【特許請求の範囲】
【請求項１】
接続端子を介して映像情報を受信する情報受信装置に前記映像情報を送信するための映像径路と、
前記映像径路によって、所定容量のバッファを用いて前記所定容量で区切られた映像情報を順次出力する出力手段と、
前記出力手段に対して、前記所定容量のバッファを用いて、前記所定容量で区切られた映像情報とは異なる、前記所定容量の特定情報を出力するように制御する制御手段と、
を具備することを特徴とする情報送信装置。
【請求項２】
前記接続端子を介して前記出力手段が前記映像情報を出力する前記情報受信装置と通信するための通信径路と、
前記通信径路を介して、前記映像情報に置き換えて前記特定情報を出力することを、前記情報受信装置に対して通知する通信手段と、
を具備し、
前記制御手段は、前記通信手段の通知に対する前記情報受信装置からの応答を受けてから、前記出力手段が前記特定情報を出力するように制御する、
ことを特徴とする請求項１記載の情報送信装置。
【請求項３】
前記制御手段は、前記出力手段が、前記映像情報を出力すべきタイミングを除いて、前記特定情報を出力させるように制御する、
ことを特徴とする請求項２記載の情報送信装置。
【請求項４】
前記出力手段が出力する前記特定情報は、前記情報受信装置で実行されるプログラム情報であることを特徴とする請求項３記載の情報送信装置。
【請求項５】
接続端子を介して映像情報を送信する映像送信装置から前記映像情報を受信するための映像径路と、
前記映像径路によって、所定容量のバッファを用いて前記所定容量で区切られた映像情報または、前記所定容量で区切られた映像情報とは異なる、前記所定容量の特定情報を順次入力する入力部と、
前記入力部が入力する前記所定容量の前記映像情報および前記特定情報それぞれに対して異なる処理を施す処理手段と、
を具備することを特徴とする情報受信装置。
【請求項６】
前記接続端子を介して前記入力手段が入力する前記映像情報または前記特定情報を送信する前記情報送信装置と通信するための通信径路と、
前記処理手段が、前記通信径路を介して、前記特定情報を出力することを前記情報送信装置から通知されたことに応じて、前記異なる処理を施すための準備が完了したことを応答する、
ことを特徴とする請求項５記載の情報受信装置。
【請求項７】
前記特定情報は、前記情報受信装置内で実行されるプログラム情報であることを特徴とする請求項６記載の情報受信装置。
【請求項８】
情報送信装置から情報受信装置に対して情報を伝送する情報伝送方法であって、
前記情報送信装置が、前記情報受信装置に対して所定容量のバッファを用いて前記所定容量で区切られた映像情報を順次出力し、
前記情報送信装置が、前記情報受信装置に対して前記所定容量で区切られた映像情報とは異なる、前記所定容量の特定情報を出力することを通知し、
前記情報受信装置が、前記情報送信装置から前記特定情報を出力することを通知されたことに応じて、前記所定容量の前記映像情報および前記特定情報それぞれに対して異なる処理を施すための準備が完了したことを応答し、
前記情報送信装置が、前記情報受信装置からの応答を受けてから、前記所定容量の特定情報を出力し、
前記情報受信装置が、前記情報送信装置から入力された前記映像情報および前記特定情報それぞれに対して異なる処理を施す、
ことを特徴とする情報伝送方法。
【発明の詳細な説明】
【技術分野】
【０００１】
本発明は、情報を送信または受信する情報送信装置、情報受信装置および情報伝送方法に関する。
【背景技術】
【０００２】
近年、高解像度の映像情報や高分解能の音声情報を非圧縮デジタル信号の形態で伝送するための情報伝送手段として、例えばＨＤＭＩ（登録商標）規格に準拠した接続端子（以下、ＨＤＭＩ端子と称する）を備えた電子機器が広く普及している。そしてＨＤＭＩ端子を備えた機器同士をＨＤＭＩケーブルで接続（以下、ＨＤＭＩ接続と称する）して、高解像度の映像情報や高分解能の音声情報を非圧縮デジタル信号の形態で伝送することが可能となっている。
【０００３】
このＨＤＭＩの伝送経路は、映像音声情報を伝送するための経路と、ＣＥＣという規格で定義される機器間の相互制御を実現するための経路とを含んでいる。
ところで、ＨＤＭＩ端子を備えた機器間で、映像音声情報以外の情報を伝送する必要性が生じることがある。例えば、一方の機器で受信した放送波から抽出されたメタデータを他方の機器へ伝送するケースが考えられる。また、一方の機器が、他方の機器で利用可能なアプリケーションプログラムなどの情報をインターネットなどの通信により取得して、当該他方の機器へ伝送するケースも想定される。
【０００４】
一般的に、ＨＤＭＩ接続された機器間における映像音声信号情報以外の情報の伝送には、前述したＣＥＣの径路が利用されていた。しかし、このＣＥＣの径路による情報の伝送速度は遅く、伝送する情報量が多い場合には情報伝送時間が長くなってしまっていた。そこで、ＨＤＭＩ接続における映像音声情報以外の情報伝送を高速化する手法が求められている。
【０００５】
例えば、特許文献１によれば、メタデータを映像信号に重畳させて、映像信号を送るためのチャンネルで送信装置から受信装置へ伝送することにより、伝送速度の低いチャンネル（上記ＣＥＣの径路）で伝送する場合に比べて、短い伝送時間でメタデータを伝送する手法が開示されている。
【先行技術文献】
【特許文献】
【０００６】
【特許文献１】特開２００８−１６０４３０号公報  （図３  段落００２９）
【発明の概要】
【発明が解決しようとする課題】
【０００７】
しかし特許文献１による手法は、映像フレームの一部の期間であるデータアイランド期間にメタデータを重畳して伝送する手法であったので、映像フレーム全体の情報量の内の一部しか利用されず、映像音声情報以外の大容量の情報の伝送において、依然として伝送速度が不足する可能性があった。
【０００８】
そこで、本発明は上述した課題を解決するために、機器間の映像音声情報以外の情報伝送時間の短縮化を図ることができる情報送信装置、情報受信装置および情報伝送方法を提供することを目的とする。
【課題を解決するための手段】
【０００９】
本発明は上述した課題を解決するため、接続端子を介して映像情報を受信する情報受信装置に前記映像情報を送信するための映像径路と、前記映像径路によって、所定容量のバッファを用いて前記所定容量で区切られた映像情報を順次出力する出力手段と、前記出力手段に対して、前記所定容量のバッファを用いて、前記所定容量で区切られた映像情報とは異なる、前記所定容量の特定情報を出力するように制御する制御手段とを具備することを特徴とする情報送信装置を提供する。
【００１０】
また本発明は上述した課題を解決するため、接続端子を介して映像情報を送信する映像送信装置から前記映像情報を受信するための映像径路と、前記映像径路によって、所定容量のバッファを用いて前記所定容量で区切られた映像情報または、前記所定容量で区切られた映像情報とは異なる、前記所定容量の特定情報を順次入力する入力部と、前記入力部が入力する前記所定容量の前記映像情報および前記特定情報それぞれに対して異なる処理を施す処理手段とを具備することを特徴とする情報受信装置を提供する。
【００１１】
また本発明は上述した課題を解決するため、情報送信装置から情報受信装置に対して情報を伝送する情報伝送方法であって、前記情報送信装置が、前記情報受信装置に対して所定容量のバッファを用いて前記所定容量で区切られた映像情報を順次出力し、前記情報送信装置が、前記情報受信装置に対して前記所定容量で区切られた映像情報とは異なる、前記所定容量の特定情報を出力することを通知し、前記情報受信装置が、前記情報送信装置から前記特定情報を出力することを通知されたことに応じて、前記所定容量の前記映像情報および前記特定情報それぞれに対して異なる処理を施すための準備が完了したことを応答し、前記情報送信装置が、前記情報受信装置からの応答を受けてから、前記所定容量の特定情報を出力し、前記情報受信装置が、前記情報送信装置から入力された前記映像情報および前記特定情報それぞれに対して異なる処理を施すことを特徴とする情報伝送方法を提供する。
【発明の効果】
【００１２】
本発明によれば、機器間の映像音声情報以外の情報伝送時間の短縮化を図ることができる。
【図面の簡単な説明】
【００１３】
【図１】本発明の実施形態に係る情報送信装置であるチューナ装置と本発明の実施形態に係る情報受信装置であるモニタ装置とからなるテレビジョンシステムの構成を示すブロック図。
【図２】本実施形態における、映像音声情報のための伝送径路を利用して非ＡＶデータを伝送する情報伝送処理を実行する各ブロックによるシステム構成図。
【図３】入力された映像音声情報および映像情報以外の情報それぞれに対して異なる処理を施す各ブロックによるシステム構成図。
【図４】チューナ装置およびモニタ装置の間で実行される、映像音声情報のための伝送径路を利用して非ＡＶデータを伝送する情報伝送処理のシーケンス図。
【図５】図４のシーケンスに基づいて実行される情報伝送処理のタイミングチャートを示す図。
【図６】情報伝送処理におけるデータ遷移に関する、チューナ装置のＤＲＡＭのメモリ空間およびモニタ装置のＤＲＡＭのメモリ空間の概念図。
【図７】チューナ装置およびモニタ装置の間で実行される、映像音声情報のための伝送径路を利用して非ＡＶデータを伝送する情報伝送処理の変形例のシーケンス図。
【図８】図７のシーケンスに基づいて実行される情報伝送処理の変形例のタイミングチャートを示す図。
【図９】情報伝送処理の変形例におけるデータ遷移に関する、チューナ装置のＤＲＡＭのメモリ空間およびモニタ装置のＤＲＡＭのメモリ空間の概念図。
【発明を実施するための形態】
【００１４】
以下、本発明における実施形態について図面を用いて説明する。
図１は、本発明の実施形態に係る情報送信装置であるチューナ装置１０と本発明の実施形態に係る情報受信装置であるモニタ装置１１０とからなるテレビジョンシステムの構成を示すブロック図である。
【００１５】
具体的には、チューナ装置１０は主に、受信した放送コンテンツまたは入力された映像コンテンツに基づいた映像音声情報を出力し、モニタ装置１１０は主に、入力された映像音声情報に基づいて映像を表示するともに音声を出力するものである。そしてチューナ装置１０とモニタ装置１１０とは、ＨＤＭＩ規格に基づいたケーブル（以下、ＨＤＭＩケーブルと称する）１５０で接続されていて、このＨＤＭＩケーブル１５０を介して映像音声情報が伝送される。本実施形態においては、チューナ装置１０は、ＨＤＭＩケーブル１５０を介して映像音声情報以外の情報（以下、非ＡＶデータ(non-AV Data)とも称す）をもモニタ装置１１０へ出力する。本発明は、この映像音声情報以外の情報の伝送に関するものである。
【００１６】
まず本実施形態に係るチューナ装置１０は、放送波処理部２０、ＡＶ信号入力部２１、ネットワークＩＦ部２２、操作部３１、受光部３２、信号処理制御部４０、通信部６１、映像出力部６２、ＤＲＡＭ５１、接続端子７０などで構成されている。また、放送波処理部２０にはアンテナＡＮＴが接続されていて、受光部３２はリモートコントローラ（以下、リモコンと称する）ＲＣと情報のやりとりを行う。
【００１７】
このチューナ装置１０は、入力された映像音声の情報や信号に所定の処理を施すとともに、映像音声信号の伝送経路である映像径路を含むＨＤＭＩケーブル１５０を利用してデジタル化した映像音声情報をモニタ装置１１０へ出力する。またチューナ装置１０は、このＨＤＭＩケーブル１５０の映像径路を利用して、映像音声情報だけでなくその他の情報もモニタ装置１１０へ出力する。ＨＤＭＩケーブル１５０の映像径路を利用して伝送されるその他の情報は、例えば、メタデータや、外部機器であるモニタ装置１１０で利用されるデータである。さらにチューナ装置１０は、外部機器と通信するための経路を利用してモニタ装置１１０と通信する。
【００１８】
放送波処理部２０は、アンテナＡＮＴによって受信された地上波または衛星によるアナログ／デジタル放送波に対応するチューナおよびデコーダを有する。また放送波処理部２０は、アンテナＡＮＴが受信した信号を取得して、この取得した信号に対して特定チャンネルの選局処理および復調復号処理を施し、コンテンツの映像音声情報やコンテンツ関連情報（メタデータ）などが含まれる信号を信号処理制御部４０に出力する。この放送波処理部２０は、アンテナＡＮＴが受信した信号に基づいて、チューナ装置１０または外部機器であるモニタ装置１１０で利用されるデータを信号処理制御部４０に出力することもある。
【００１９】
ＡＶ信号入力部２１は、ＨＤＭＩ（登録商標）規格やＵＳＢ規格、ＩＥＥＥ１３９４規格などの様々な規格に準じて外部の映像ソースから情報を入力するための端子および、入力された情報からこれらの規格に基づいて音声映像情報を抽出する情報抽出部を有する。またＡＶ信号入力部２１は、アナログ映像音声信号を入力するための端子、複数の信号から特定の信号を選択するためのセレクタおよびＡ／Ｄ変換処理を施すＡＤ変換部を有する。さらにＡＶ信号入力部２１は、これらの端子を介して入力された情報や信号に基づくコンテンツの映像音声情報を信号処理制御部４０へ出力する。
【００２０】
ネットワークＩＦ部２２は、インターネットや、ＬＡＮ、ＷＡＮなどのネットワークに接続するための端子および、この端子を介して接続したネットワークを利用して通信を行う通信処理部を有する。またネットワークＩＦ部２２は、接続したネットワークを利用した通信により、コンテンツの映像音声情報やコンテンツ関連情報などが含まれる信号を取得して信号処理制御部４０へ出力する。このネットワークＩＦ部２２は、信号処理制御部４０からの制御に応じて、接続したネットワーク上の特定のサーバから取得した信号に基づいて、チューナ装置１０またはモニタ装置１１０で利用されるデータを信号処理制御部４０に出力することもある。
【００２１】
操作部３１は、チューナ装置１０を操作するための操作入力の情報を受信して信号処理制御部４０へ出力する操作パネルである。同様に受光部３２は、リモコンＲＣからの操作入力の情報を受光（受信）して信号処理制御部４０へ出力する。この操作部３１またはリモコンＲＣは、放送波処理部２０、ＡＶ信号入力部２１またはネットワークＩＦ部２２の何れからの信号を取得するかを選択する選択キー、外部から取得しモニタ装置１１０で利用されるデータをモニタ装置１１０へ出力するための情報出力キーなどを備えている。（何れも不図示）
【００２２】
信号処理制御部４０は、操作部３１や受光部３２からの操作入力の情報に応じて、放送波処理部２０やＡＶ信号入力部２１、ネットワークＩＦ部２２などから入力された信号に対して、圧縮されたコンテンツデータの伸張処理、映像音声情報の分離処理およびその他の情報の抽出処理などの様々な処理を施して、映像音声情報やその他の情報を映像出力部６２へ出力する。また信号処理制御部４０は、通信部６１を介して外部機器と通信するための通信処理を実行する。さらに信号処理制御部４０は、放送波処理部２０やＡＶ信号入力部２１、ネットワークＩＦ部２２などから入力された信号を保存するため、または、映像出力部６２を介して情報を出力するために、ＤＲＡＭ５１との間の情報の書き込み／読み出しの処理を実行する。
【００２３】
また信号処理制御部４０は、制御部としてＣＰＵまたはマイコン（不図示）を備えていて、信号処理制御部４０自身に備えられた各モジュールや信号処理制御部４０に接続された各モジュールを利用して、複数の処理の実行を制御する。
【００２４】
本実施形態では、信号処理制御部４０は、各ブロックを介して取得した、モニタ装置１１０で利用されるデータをＤＲＡＭ５１の所定の領域（メモリ空間）に記憶させる処理を実行する。また信号処理制御部４０は、外部機器との通信による通信内容に基づいて、映像音声情報を主に出力するための映像出力部６２を介して、モニタ装置１１０で利用されるデータを出力する情報出力処理を実行する。
【００２５】
通信部６１は、信号処理制御部４０からの通信要求に応じて、ＨＤＭＩ規格に基づいて、接続端子７０を介して外部機器に対する送信信号である送信情報を出力する。また通信部６１は、接続端子７０を介した外部機器からの受信信号であり、ＨＤＭＩ規格に基づいた受信情報を入力されて、この受信情報が示す内容を信号処理制御部４０へ通知（出力）する。この通信部６１は、モニタ装置１１０で利用されるデータを出力する情報出力処理の実行において、ＨＤＭＩ−ＣＥＣ規格に基づいてモニタ装置１１０との間で通信（送信情報および受信情報をやりとり）する。
【００２６】
映像出力部６２は、ＤＲＡＭ５１から読み出した様々な情報および信号処理制御部４０から入力される情報に基づいて、ＨＤＭＩ規格に基づいて変換した情報を、接続端子７０を介して外部機器へ出力する。本実施形態では、映像出力部６２は、ＤＲＡＭ５１の特定の領域から読み出した映像音声情報およびモニタ装置１１０で利用されるデータを、ＨＤＭＩ規格に基づいて変換して外部機器であるモニタ装置１１０へ所定容量ずつ出力する。
【００２７】
ＤＲＡＭ５１は、情報を記憶するメモリであり、信号処理制御部４０の制御により、所定のメモリアドレスに様々な情報を記憶する。またＤＲＡＭ５１は、信号処理制御部４０や映像出力部６２によって、特定のメモリアドレスの様々な情報を読み出される。このＤＲＡＭ５１は、映像音声情報およびモニタ装置１１０で利用されるデータを記憶する。またＤＲＡＭ５１の特定の記憶領域は、映像出力部６２が出力する情報を格納するための出力バッファとして利用される。
【００２８】
接続端子７０は、ＨＤＭＩ規格に基づいた接続端子であり、映像音声を出力するための伝送径路であるＴＭＤＳデータ伝送径路や、外部機器と通信するための通信情報の伝送径路であるＣＥＣ径路のための接続ピンを備える。本実施形態では、接続端子７０は、ＴＭＤＳデータ伝送径路を利用してモニタ装置１１０で利用されるデータを伝送する。
【００２９】
なお、本実施形態は、本発明に係る構成を適用した情報送信装置として、テレビジョンシステムにおけるチューナ装置１０を例とした形態である。しかし、本実施形態に係る情報送信装置として、チューナ装置１０と同様の構造のＨＤＤレコーダ、ＤＶＤレコーダ、パーソナルコンピュータ、携帯移動端末などを例とした形態であっても構わない。また、テレビ放送や衛星放送だけでなく、ラジオ放送やインターネット等を用いた有線放送などを受信して映像音声信号を出力する情報送信装置であるセットトップボックスなどを例とした実施形態であってもよい。
【００３０】
また、本実施形態では、通信部６１および映像出力部６２が、ＨＤＭＩ規格に基づいた接続端子７０を介して外部機器と通信または映像音声情報を出力する例を示すが、接続端子７０を備えず、無線信号により外部機器と通信または映像音声情報を出力する例を適用してもよい。この例では、接続端子７０に置き換えて、無線通信部（不図示）を備えることになる。
【００３１】
このような構成により、本発明の実施形態に係るチューナ装置１０は、放送波処理部２０やＡＶ信号入力部２１、ネットワークＩＦ部２２などから入力された映像音声情報およびモニタ装置１１０で利用されるデータを、所定規格に基づいて外部機器へ出力することができる。そして、これらの複数の処理は主に信号処理制御部４０が実行するものである。
【００３２】
次に、本実施形態に係るモニタ装置１１０は、通信部１２１、映像入力部１２２、ＤＲＡＭ１３１、ＮＶメモリ（Non Volatile Memory）１３２、信号処理制御部１４０、表示器１５１、スピーカ１５２、接続端子１６０などで構成されている。
【００３３】
このモニタ装置１１０は、映像音声信号を伝送するための伝送経路を介して入力された映像音声情報やその他の情報を区別して、それぞれの情報に対して異なる処理を施す。
【００３４】
通信部１２１は、接続端子１６０を介した外部機器からの受信信号であり、ＨＤＭＩ規格に基づいた受信情報を入力されて、この受信情報が示す内容を信号処理制御部１４０へ通知（出力）する。また通信部１２１は、信号処理制御部１４０からの通信情報に応じて、ＨＤＭＩ規格に基づいて、接続端子１６０を介して外部機器に対する送信信号である送信情報を出力する。この通信部１２１は、ＨＤＭＩ−ＣＥＣ規格に基づいてチューナ装置１０との間で通信（送信情報および受信情報をやりとり）する。
【００３５】
映像入力部１２２は、接続端子１６０を介して外部機器から入力された映像音声情報およびモニタ装置１１０で利用されるデータをＤＲＡＭ１３１の所定の領域（メモリ空間）へ出力して記憶させる。また映像入力部１２２は、接続端子１６０を介して外部機器から入力された情報に基づいて、映像音声信号を出力するための情報を抽出して信号処理制御部１４０へ出力する。本実施形態では、映像入力部１２２は、ＨＤＭＩ規格に基づいて外部機器から所定容量に区切られた情報が入力される。また、モニタ装置１１０で利用されるデータとして、信号処理制御部１４０で実行されるプログラムのデータを適用する。
【００３６】
ＤＲＡＭ１３１は、情報を記憶するメモリであり、映像入力部１２２の制御により、所定のメモリアドレスに様々な情報を記憶する。またＤＲＡＭ１３１は、信号処理制御部１４０によって、特定のメモリアドレスの様々な情報を読み出される。このＤＲＡＭ１３１は、映像音声情報や、信号処理制御部１４０で実行されるプログラムのデータを記憶する。
【００３７】
ＮＶメモリ１３２は、情報を記憶する不揮発性メモリであり、信号処理制御部１４０の制御により、ＤＲＡＭ１３１の特定のメモリアドレスから読み出された、信号処理制御部１４０で実行されるプログラムのデータを記憶する。またＮＶメモリ１３２は、信号処理制御部１４０の制御により、信号処理制御部１４０で実行されるプログラムのデータを読み出される。
【００３８】
信号処理制御部１４０は、映像入力部１２２から入力された映像音声信号を出力するための情報に基づいて、ＤＲＡＭ１３１から読み出した特定の情報に対して所定の処理を施して、表示器１５１へ映像信号を出力し、スピーカ１５２へ音声信号を出力する。さらに信号処理制御部１４０は、制御部としてＣＰＵまたはマイコン（不図示）を備えていて、ＮＶメモリ１３２に記憶される、信号処理制御部１４０で実行されるプログラムのデータをロードして、信号処理制御部１４０自身に備えられた各モジュールや信号処理制御部１４０に接続された各モジュールを利用して複数の処理の実行を制御する。
【００３９】
本実施形態では、信号処理制御部１４０は、ＤＲＡＭ１３１から映像音声情報を読み出して、映像信号や音声信号に変換して、それぞれの信号を対応する各ブロックへ出力する。また信号処理制御部１４０は、ＤＲＡＭ１３１から信号処理制御部１４０で実行されるプログラムのデータを読み出して、ＮＶメモリ１３２に記憶させる。
【００４０】
表示器１５１は、信号処理制御部１４０から入力された映像信号を表示する表示モジュールである。例えば、表示器１５１は、液晶ディスプレイ（Liquid Crystal Display；以下、ＬＣＤとも称する）やＰＤＰ（Plasma Display Panel）などの薄型ディスプレイである。
【００４１】
スピーカ１５２は、信号処理制御部１４０から入力された音声信号を出力する。
接続端子１６０は、ＨＤＭＩ規格に基づいた接続端子であり、映像信号を入力するための伝送径路であるＴＭＤＳデータ伝送径路や、外部機器と通信するための通信情報の伝送径路であるＣＥＣ径路のための接続ピンを備える。本実施形態では、接続端子１６０は、ＴＭＤＳデータ伝送径路を利用して信号処理制御部１４０で実行されるプログラムのデータを伝送する。
【００４２】
なお、本実施形態は、本発明に係る構成を適用した情報受信装置として、テレビジョンシステムにおけるモニタ装置１１０を例とした形態である。しかし、本実施形態に係る情報受信装置として、モニタ装置１１０と同様の構造のＨＤＤレコーダ、ＤＶＤレコーダ、パーソナルコンピュータ、携帯移動端末、テレビジョン受像機などを例とした形態であっても構わない。
【００４３】
また、本実施形態では、通信部１２１および映像入力部１２２が、ＨＤＭＩ規格に基づいた接続端子１６０を介して外部機器と通信または映像音声情報を入力する例を示すが、接続端子１６０を備えず、無線信号により外部機器と通信または映像音声情報を入力する例を適用してもよい。この例では、接続端子１６０に置き換えて、無線通信部（不図示）を備えることになる。
【００４４】
このような構成により、本発明の実施形態に係るモニタ装置１１０は、ＨＤＭＩ規格に基づいて外部機器から入力された映像音声情報およびモニタ装置１１０で利用されるデータそれぞれを区別して、この区別したそれぞれの情報に対して異なる処理を施すことができる。そして、これらの複数の処理は主に信号処理制御部１４０が実行するものである。
【００４５】
すなわち、本実施形態に係るチューナ装置１０およびモニタ装置１１０で構成されるテレビジョンシステムによれば、例えばＨＤＭＩ接続におけるＣＥＣなどの情報伝送速度の遅い伝送径路と比べて、映像音声情報の伝送径路のように情報伝送速度が格段に早い伝送径路を利用して、映像音声情報以外の情報が伝送されるので、機器間の映像音声情報以外の情報伝送時間の短縮化を図ることができる。
【００４６】
次に、図２を用いて、図１で説明したチューナ装置１０の信号処理制御部４０に備えられ、映像音声情報のための伝送径路を利用して非ＡＶデータを伝送する情報伝送処理を実行する各ブロックを説明する。
【００４７】
図２は、本実施形態における、映像音声情報のための伝送径路を利用して非ＡＶデータを伝送する情報伝送処理を実行する各ブロックによるシステム構成図である。
本実施形態に係る信号処理制御部４０は、映像処理部２０１、情報取得部２０２、同期制御部２０３、メモリ制御部２０４、情報送信処理部２０５などを備えている。
【００４８】
映像処理部２０１は、放送波処理部２０やＡＶ信号入力部２１などから入力されたデータに含まれる映像音声情報に対する復調・復号処理などを実行して、後段で処理できる形式に変換した映像音声情報をメモリ制御部２０４へ出力する。この映像処理部２０１は、同期制御部２０３から入力される映像音声情報の出力タイミングを示す同期情報に応じて、メモリ制御部２０４へ映像音声情報を出力する。また映像処理部２０１は、情報送信処理部２０５から入力される映像音声情報を出力／出力停止することを示す出力可否情報に応じて、メモリ制御部２０４へ映像音声情報を出力または出力を停止する。
【００４９】
情報取得部２０２は、ネットワークＩＦ部２２を介して非ＡＶデータである、モニタ装置１１０で利用されるデータを取得し、このデータをメモリ制御部２０４へ出力する。
【００５０】
同期制御部２０３は、所定周期のクロック信号（不図示）に基づいて、映像処理部２０１が映像音声情報を出力するタイミングを示す同期情報や、映像出力部６２が出力する情報に所定周期のフレーム同期信号を付与するためのフレーム同期情報をそれぞれに対応するブロックへ出力する。
【００５１】
メモリ制御部２０４は、映像処理部２０１から入力された映像音声情報を、映像出力部６２が利用する、所定容量の出力バッファとして割り当てられた特定の領域に記憶させる。またメモリ制御部２０４は、情報取得部２０２から入力されたモニタ装置１１０で利用されるデータを、ＤＲＡＭ５１内の出力バッファのための領域とは異なる他の領域に記憶させる。さらにメモリ管理部２０４は、情報送信処理部２０５から要求された所定のタイミングで、ＤＲＡＭ５１内の特定の領域に記憶されたモニタ装置１１０で利用されるデータを出力バッファと同容量で区切り、出力バッファとして割り当てられた特定の領域へ書き込むデータ書き込み処理を実行する。
【００５２】
情報送信処理部２０５は、外部機器と通信するための操作入力の情報に応じて、通信部６１を介して外部機器と通信する送信側通信処理を実行する。また情報送信処理部２０５は、この送信側通信処理の通信内容に基づいて、出力可否情報を映像処理部２０１へ出力し、メモリ制御部２０４へデータ書き込み処理の実行を要求する。
【００５３】
これら複数のブロックによるシステム構成により、本発明の実施形態に係る信号処理制御部４０は、外部機器との通信内容に応じて、ＤＲＡＭ５１内の出力バッファのための領域に、外部機器であるモニタ装置１１０で利用されるデータを書き込む。出力バッファに書き込まれるデータは、１つの映像フレームの映像に相当する容量を利用することができる。そして映像出力部６２が、出力バッファに記憶された、外部機器で利用されるデータを順次出力するので、映像音声情報以外の情報伝送時間の短縮化を図ることができる。
【００５４】
次に、図３を用いて、図１で説明したモニタ装置１１０の信号処理制御部１４０に備えられ、入力された映像音声情報および映像情報以外の情報それぞれに対して異なる処理を施す各ブロックを説明する。
【００５５】
図３は、入力された映像音声情報および映像情報以外の情報それぞれに対して異なる処理を施す各ブロックによるシステム構成図である。
本実施形態に係る信号処理制御部１４０は、映像処理部３０１、音声処理部３０２、メモリ制御部３０３、情報受信処理部３０４などを備えている。
映像処理部３０１は、メモリ制御部３０３を介してＤＲＡＭ１３１から入力された映像情報にＤＡ変換処理や、スケーリング処理、画質調整処理などを施した映像信号を表示器１５１へ表示させる映像出力処理を実行する。この映像処理部３０１は、情報受信処理部３０４から入力された、映像音声出力処理の実行／実行停止を示す処理実行情報に基づいて、映像出力処理を実行または実行を停止する。
【００５６】
音声処理部３０２は、メモリ制御部３０３を介してＤＲＡＭ１３１から入力された音声情報にＤＡ変換処理や音質調整処理を施した音声信号をスピーカ１５２から出力させる音声出力処理を実行する。この音声処理部３０２は、情報受信処理部３０４から入力された処理実行情報に基づいて、音声出力処理を実行または実行を停止する。
【００５７】
メモリ制御部３０３は、映像入力部１２２から入力された、映像音声信号を出力するための情報に基づいて、ＤＲＡＭ１３１内の入力バッファのための所定容量の領域から映像音声情報を読み出し、この読み出した映像情報を映像処理部３０１へ、音声情報を音声処理部３０２へ出力する。またメモリ制御部３０３は、情報受信処理部３０４からの要求に応じて、ＤＲＡＭ１３１内の入力バッファに記憶され、入力バッファと同容量で区切られた信号処理制御部１４０で実行されるプログラムのデータを、ＤＲＡＭ１３１内の入力バッファのための領域とは異なる他の領域へ書き込むデータ書き込み処理を実行する。さらにメモリ制御部３０３は、入力バッファのための領域とは異なる他の領域へ書き込んだデータを、ＮＶメモリ１３２へ記憶させる。このときメモリ制御部３０３は、入力バッファと同容量で区切られたデータを、一つのデータとして扱うために統合する処理も実行する。
【００５８】
情報受信処理部３０４は、通信部１２１を介して外部機器と通信する受信側通信処理を実行する。また情報受信処理部３０４は、この受信側通信処理の通信内容に基づいて、処理実行情報を映像処理部３０１および音声処理部３０２へ出力する。さらに情報受信処理部３０４は、受信側通信処理の通信内容に基づいて、メモリ制御部３０３へデータ書き込み処理の実行を要求する。
【００５９】
これら複数のブロックによるシステム構成により、本発明の実施形態に係る信号処理制御部１４０は、外部機器との通信内容に応じて、映像音声情報以外の情報の伝送時間の短縮化を図って伝送されたデータであって、ＤＲＡＭ１３１内の入力バッファのための領域に記憶された、モニタ装置１１０で利用されるデータをＤＲＡＭ１３１内の他の領域へ書き込み、さらにＮＶメモリ１３２に管理することができる。
【００６０】
次に、図４を用いて、図２で説明したチューナ装置１０のシステム構成および図３で説明したモニタ装置１１０のシステム構成によって実行される、映像音声情報のための伝送径路を利用して非ＡＶデータを伝送する情報伝送処理の動作を説明する。
【００６１】
図４は、チューナ装置１０およびモニタ装置１１０の間で実行される、映像音声情報のための伝送径路を利用して非ＡＶデータを伝送する情報伝送処理のシーケンス図である。
【００６２】
この情報伝送処理は、チューナ装置１０とモニタ装置１１０との間で実行される通信の内容に応じて、これらの装置間で情報を伝送するために、それぞれの装置が複数の処理を実行するものである。
【００６３】
まず、情報の送信側であるチューナ装置１０が備える各ブロックで、非ＡＶデータを所定の伝送経路によって送信するためのＤＲＡＭ５１内の領域確保などの準備が行われる（Ｓ４０１）。この準備が完了すると、チューナ装置１０に備えられた情報送信処理部２０５が、非ＡＶデータの送信を開始することを示す送信開始通知を、通信部６１を介してモニタ装置１１０へ送信する（Ｓ４２１）。この通知後、チューナ装置１０の各ブロックは待機し（Ｓ４０２）、この通知を受信した、情報の受信側であるモニタ装置１１０が備える各ブロックで、非ＡＶデータを所定の伝送経路によって受信するためのＤＲＡＭ１３１内の領域確保などの準備が行われる（Ｓ４１１）。
【００６４】
この準備が完了すると、モニタ装置１１０に備えられた情報受信処理部３０４が、非ＡＶデータを受信する準備が完了したことを示す準備完了通知を、通信部１２１を介してチューナ装置１０へ送信する（Ｓ４２２）。この通知後、モニタ装置１１０の各ブロックは待機する（Ｓ４１２）。
【００６５】
情報送信処理部２０５は、通信部６１を介して準備完了通知を受信すると、映像処理部２０１へ出力可否情報を出力して、映像処理部２０１がメモリ制御部２０４への映像音声情報の出力を停止する。さらに、情報送信処理部２０５はメモリ制御部２０４へデータ書き込み処理の実行を要求して、メモリ制御部２０４が、ＤＲＡＭ５１に対して出力バッファとして割り当てられた領域へモニタ装置１１０で利用されるデータを書き込むデータ書き込み処理を実行する（Ｓ４０３）。
【００６６】
ここで出力バッファは、映像信号の１フレームまたは１フィールドに相当する容量であるので、モニタ装置１１０で利用されるデータが出力バッファの容量よりも大きい場合、メモリ制御部２０４は、モニタ装置１１０で利用されるデータを分断し、出力バッファの容量ごとに出力バッファに書き込むことになる。
【００６７】
またこのとき、映像出力部６２が、同期制御部２０３から入力される同期情報に応じて、出力バッファのデータをモニタ装置１１０へ出力しているので、データ書き込み処理の実行途中の出力バッファのデータが出力される可能性がある。従って、モニタ装置１１０に対して、データ書き込み処理が完了して正しいデータを出力することが可能になったことを通知する必要がある。さらに、メモリ制御部２０４または映像出力部６２が、出力バッファのデータにデータ誤りを訂正するための誤り訂正情報を付随させることが可能であり、この誤り訂正情報の付随は、データ伝送においては有効な手段である。
【００６８】
そして、データ書き込み処理が完了、すなわち出力バッファの容量分のデータの書き込みが完了すると、情報送信処理部２０５は、出力バッファへのデータの書き込みが完了したことを示す書き込み完了通知を、モニタ装置１１０へ送信する（Ｓ４２３）。この通知後、モニタ装置１１０の特定のブロックは待機する（Ｓ４０４）。
【００６９】
ここで、チューナ装置１０から順次伝送されるデータは、モニタ装置１１０に備えられた映像入力部１２２に入力される。そして映像入力部１２２は、入力されたデータをＤＲＡＭ１３１の特定の領域に割り当てられた入力バッファに順次格納する。
【００７０】
情報受信処理部３０４は、書き込み完了通知を受信すると、メモリ制御部３０３に、入力バッファとして割り当てられた領域のデータチェックを実行するように要求し、この要求に応じて、メモリ制御部３０３はデータチェックを実行する（Ｓ４１３）。データチェックは、入力バッファのデータが正しいものか否かをチェックする処理である。データチェックは、誤り訂正情報を利用してデータが正しいか否かをチェックする手法や、非ＡＶデータであることを示す情報がある場合に、この情報を確認する手法などを適用することが可能である。
【００７１】
メモリ制御部３０３は、データチェックの結果がＯＫか否かを判定し（Ｓ４１４）、データチェックＮＧであった場合（Ｓ４１４のＮｏ）は、再び、メモリ制御部３０３は入力バッファのデータをチェックする（Ｓ４１３）。一方、データチェックＯＫであった場合（Ｓ４１４のＹｅｓ）、メモリ制御部３０３は、ＤＲＡＭ１３１内の入力バッファに記憶された、信号処理制御部１４０で実行されるプログラムのデータを、入力バッファのための領域とは異なる他の領域へと移動またはコピーして取得するデータ取得処理を実行する（Ｓ４１５）。
【００７２】
すなわち、メモリ制御部３０３は、入力バッファに順次入力されるデータに対して都度データチェックを行っていて、チューナ装置１０から正しいデータが伝送されるのに時間がかかったとしても、何れデータチェックがＯＫとなることが期待できる。
【００７３】
そして、このデータ取得処理が完了すると、この結果を通知された情報受信処理部３０４は、入力バッファのデータチェックおよびデータの取得が完了したことを示す確認完了通知を、チューナ装置１０へ送信する（Ｓ４２４）。この通知を送信後、モニタ装置１１０の特定のブロックは待機する（Ｓ４１６）。
【００７４】
情報送信処理部２０５は、確認完了通知を受信すると、モニタ装置１１０で利用されるデータを全て送信（映像出力部６２による送信）したか否かを判定する（Ｓ４０５）。全てのデータを送信していない場合（Ｓ４０５のＮｏ）、情報送信処理部２０５は、再びメモリ制御部２０４へデータ書き込み処理の実行を要求して、メモリ制御部２０４にデータ書き込み処理を実行（Ｓ４０３）させる。
【００７５】
一方、全てのデータを送信した場合（Ｓ４０５のＹｅｓ）、情報送信処理部２０５は、モニタ装置１１０で利用されるデータの全てを送信完了したことを示す送信完了通知をモニタ装置１１０へ送信（Ｓ４２５）して、チューナ装置１０の処理は終了する。
【００７６】
モニタ装置１１０に備えられた情報受信処理部３０４は、待機（Ｓ４１６）した後、チューナ装置１０からの送信完了通知があったか否かを判定する（Ｓ４１７）。送信完了通知がない場合（Ｓ４１７のＮｏ）、情報受信処理部３０４は、再びチューナ装置１０からの書き込み完了通知を待って待機する（Ｓ４１２）。一方、送信完了通知があった場合（Ｓ４１７のＹｅｓ）、モニタ装置１１０の処理は終了する。
【００７７】
なお、このような動作の非ＡＶデータを伝送する情報伝送処理は、チューナ装置１０が映像音声情報を出力すべきタイミングを除いて、実行されることが好ましい。例えば、出力すべきタイミングは、放送波受信におけるチャンネル切り替え時や、入力手段の切り替え時、電源ＯＦＦ時などを適用することが可能となる。
【００７８】
このようにして、チューナ装置１０とモニタ装置１１０との間で実行される通信の内容に応じて、映像音声情報のための伝送径路を利用して映像音声情報以外の情報が伝送されるので、映像音声情報以外の情報伝送時間の短縮化を図ることができる。
【００７９】
次に、図５を用いて、図４のシーケンスに基づいて実行される、非ＡＶデータを伝送する情報伝送処理のタイミングチャートを説明する。
図５は、図４のシーケンスに基づいて実行される情報伝送処理のタイミングチャートを示す図である。
このタイミングチャートでは、モニタ装置１１０で利用されるデータが出力バッファの容量よりも大きいために、データ１およびデータ２の２つのデータに分断されて２回のデータ伝送が実行される例を示している。また、これ以降のタイミングチャートの説明では、主にチューナ装置１０に備えられたＤＲＡＭ５１内の出力バッファに記録されるデータ内容の遷移に着目する。
【００８０】
情報伝送処理が開始して、チューナ装置１０とモニタ装置１１０との間の通信により、チューナ装置１０が、送信開始通知に応じてモニタ装置１１０から送信される「準備完了通知」を受信すると、「出力バッファへのデータ書き込み」が開始される。そして出力バッファのデータ内容は、モニタ装置１１０で利用されるデータの一部であるデータ１への「書き換え中」となる。
【００８１】
「出力バッファへのデータ書き込み」が完了すると、出力バッファのデータ内容が「データ１」となるとともに、チューナ装置１０が、モニタ装置１１０に対して「書き込み完了通知」を送信する。これ以降では、出力バッファが「データ１」となっているので、モニタ装置１１０の入力バッファには、「書き換え中」のデータではなく「データ１」のデータが確実に格納されるようになる。
【００８２】
「書き込み完了通知」を受信したモニタ装置１１０は、「入力バッファからのデータ取得」を開始して、データチェックやデータの取得を行い、チューナ装置１０へ「確認完了通知」を送信する。
【００８３】
「確認完了通知」を受信したチューナ装置１０は、まだ全てのデータを伝送してない（データ２を伝送していない）ので、「データ１」の伝送処理の手順と同様に、再び「出力バッファへのデータ書き込み」を開始する。そしてこれ以降は、「データ１」が「データ２」に置き換わっただけの違いで、同様の処理が行われて、モニタ装置１１０が、チューナ装置１０へ「データ２」に対する「確認完了通知」を送信する。
【００８４】
そして「確認完了通知」を受信したチューナ装置１０は、全てのデータを伝送した（データ１およびデータ２を伝送した）ので、「送信完了通知」をモニタ装置１１０へ送信して処理が終了される。
【００８５】
このようにして、たとえ伝送するデータの容量が出力バッファの容量よりも大きくても、チューナ装置１０とモニタ装置１１０との間で実行される通信の内容に応じて、映像音声情報のための伝送径路を利用して映像音声情報以外の情報が最低限の回数で伝送されるので、映像音声情報以外の情報伝送時間の短縮化を図ることができる。
【００８６】
次に、図６を用いて、非ＡＶデータを伝送する情報伝送処理におけるデータ遷移に関する、チューナ装置１０のＤＲＡＭ５１のメモリ空間および、モニタ装置１１０のＤＲＡＭ１３１のメモリ空間の概念図を説明する。
【００８７】
図６は、情報伝送処理におけるデータ遷移に関する、チューナ装置１０のＤＲＡＭ５１のメモリ空間およびモニタ装置１１０のＤＲＡＭ１３１のメモリ空間の概念図である。
【００８８】
図６に示す概念図においても、図５で示したタイミングチャートの例と同様に、モニタ装置１１０で利用されるデータが出力バッファの容量よりも大きいために、データ１およびデータ２の２つのデータに分断されて２回のデータ伝送が実行される例を示している。
【００８９】
すなわち、チューナ装置１０のＤＲＡＭ５１のメモリ空間には、映像出力部６２に読み出される領域である出力バッファのための領域と、モニタ装置１１０で利用されるデータが格納（記憶）される領域であるデータ格納領域とが割り当てられている。また、モニタ装置１１０のＤＲＡＭ１３１のメモリ空間には、映像入力部１２２に書き込まれる領域である入力バッファのための領域と、モニタ装置１１０で利用されるデータが格納（記憶）される領域であるデータ格納領域とが割り当てられている。
【００９０】
情報伝送処理におけるデータ送信側であるチューナ装置１０では、まずデータ格納領域に記憶されたデータ１が出力バッファに書き込まれて、映像出力部６２に読み出されてモニタ装置１１０へ出力される。そして次に、データ格納領域に記憶されたデータ２が出力バッファに書き込まれて、映像出力部６２に読み出されてモニタ装置１１０へ出力される。
【００９１】
情報伝送処理におけるデータ受信側であるモニタ装置１１０では、まず映像入力部１２２に入力されたデータ１が入力バッファに書き込まれて、この入力バッファに格納されたデータ１がモニタ装置１１０で利用されるデータが記憶される領域に格納される。そして次に、映像入力部１２２に入力されたデータ２が入力バッファに書き込まれて、この入力バッファに格納されたデータ２がモニタ装置１１０で利用されるデータが記憶される領域に格納される。
【００９２】
このようにして、出力バッファと入力バッファとを用いた、映像音声情報の伝送と同様の伝送径路によって、映像音声情報以外の情報も伝送されるので、映像音声情報以外の情報伝送時間の短縮化を図ることができる。
【００９３】
（変形例）
次に、図７を用いて、チューナ装置１０およびモニタ装置１１０それぞれのシステム構成によって実行される、映像音声情報のための伝送径路を利用して非ＡＶデータを伝送する情報伝送処理の変形例の動作を説明する。
【００９４】
図７は、チューナ装置１０およびモニタ装置１１０の間で実行される、映像音声情報のための伝送径路を利用して非ＡＶデータを伝送する情報伝送処理の変形例のシーケンス図である。
【００９５】
この変形例のシーケンス図は、図４で示した情報伝送処理のシーケンス図とは、チューナ装置１０とモニタ装置１１０との間での通信回数が減少している点および、ＤＲＡＭ５１へのメモリアクセスの方法の違いによる各ステップの動作内容において異なるものである。具体的には、本変形例は、チューナ装置１０のメモリ制御部２０４が、ＤＲＡＭ５１の特定の領域に対するＤＭＡコントローラとして動作することが可能な実施形態であり、このＤＲＡＭ５１に対するＤＭＡ動作によって図４のシーケンスとは異なるシーケンスを実行することになる。
【００９６】
また、本変形例においても、チューナ装置１０とモニタ装置１１０との間で実行される通信の内容に応じて、これらの装置間で情報を伝送するために、それぞれの装置が複数の処理を実行するものである。
【００９７】
まず、情報の送信側であるチューナ装置１０が備える各ブロックで、非ＡＶデータを所定の伝送経路によって送信するための準備が行われる。特に、チューナ装置１０に備えられたＤＲＡＭ５１の特定の領域に格納された、モニタ装置１１０で利用されるデータが読み出されて、さらにＤＲＡＭ５１内のＤＭＡ領域の特定の領域に書き込まれる（Ｓ７０１）。
【００９８】
また映像出力部６２は、同期制御部２０３から入力される同期情報に応じて、出力バッファのデータをモニタ装置１１０へ順次出力する。
モニタ装置１１０で利用されるデータが、ＤＭＡ領域の他の領域に割り当てられた出力バッファの容量よりも大きい場合、メモリ制御部２０４は、モニタ装置１１０で利用されるデータを出力バッファの容量単位の複数のデータ領域に分断して書き込むことになる。このようなデータを分断する必要がある場合、分断されたそれぞれのデータ領域には、分断数に対するデータ領域ごとの通し番号、各データ領域のデータ容量などを併せて書き込んでおく。
【００９９】
各ブロックの準備が完了すると、チューナ装置１０に備えられた情報送信処理部２０５が、非ＡＶデータの送信を開始することを示す送信開始通知を、通信部６１を介してモニタ装置１１０へ送信する（Ｓ７２１）。このとき情報送信処理部２０５は、伝送すべきデータ領域の数を併せて通知する。
【０１００】
この通知を送信後、チューナ装置１０の各ブロックは動作を継続して待機し（Ｓ７０２）、この通知を受信した、情報の受信側であるモニタ装置１１０が備える各ブロックで、非ＡＶデータを所定の伝送経路によって受信するための準備が行われる。特に、伝送されるデータ領域の数を通知されたメモリ制御部３０３は、伝送されるデータ領域と同数の入力バッファをＤＲＡＭ１３１内に確保する（Ｓ７１１）。この入力バッファはリングバッファとして扱われる。
【０１０１】
そしてこの準備が完了すると、モニタ装置１１０に備えられた情報受信処理部３０４が、非ＡＶデータを受信する準備が完了したことを示す準備完了通知を、通信部１２１を介してチューナ装置１０へ送信する（Ｓ７２２）。この通知後、モニタ装置１１０の特定のブロックはしばらく待機する（Ｓ７１２）。
【０１０２】
情報送信処理部２０５は、通信部６１を介して準備完了通知を受信すると、映像処理部２０１へ出力可否情報を出力して、映像処理部２０１がメモリ制御部２０４への映像音声情報の出力を停止する。さらに情報送信処理部２０５は、メモリ制御部２０４へＤＭＡ動作によるデータ書き込み処理の実行を要求して、メモリ制御部２０４が、ＤＲＡＭ５１内のＤＭＡ領域の一部に出力バッファとして割り当てられた領域へ、ＤＭＡ領域の他の領域に格納された、モニタ装置１１０で利用されるデータを読み出して、ＤＭＡ動作により書き込むデータ書き込み処理を実行する（Ｓ７０３）。この処理の実行後、チューナ装置１０の各ブロックは動作を継続して待機する（Ｓ７０４）。
【０１０３】
ここで、モニタ装置１１０で利用されるデータが出力バッファの容量よりも大きい場合、モニタ装置１１０で利用されるデータは、出力バッファの容量に合わせて複数のデータ領域に分断されてチューナ装置１０からモニタ装置１１０へ伝送される。モニタ装置１１０のＤＲＡＭ１３１には、伝送されるデータ領域と同数の入力バッファが、リングバッファとして用意されているので、通し番号が付随されたそれぞれのデータ領域が、異なる入力バッファに格納されることになる。
【０１０４】
メモリ制御部３０３は、ＤＲＡＭ１３１に用意された全ての入力バッファに格納されたデータが正しいものか否かをチェックする処理であるデータチェックを実行する（Ｓ７１３）。データチェックは、誤り訂正情報を利用してデータが正しいか否かをチェックする手法や、非ＡＶデータであることを示す情報がある場合に、この情報を確認する手法などを適用することが可能である。また、通知されていたデータ領域の数と同数の、通し番号が付随されたデータ領域があるか否かの判断も、データチェックとして実行される。
【０１０５】
さらにメモリ制御部３０３は、データチェックの結果がＯＫか否かを判定して、伝送された全てのデータを正常に受信することができたか否かを判定し（Ｓ７１４）、正常受信できなかった場合（Ｓ７１４のＮｏ）は、再びメモリ制御部３０３が、全ての入力バッファに対するデータチェックを実行する（Ｓ７１３）。
【０１０６】
一方、正常受信できた場合（Ｓ７１４のＹｅｓ）、この結果を通知された情報受信処理部３０４は、伝送された全てのデータを正常に受信したことを示す受信完了通知を、チューナ装置１０へ送信する（Ｓ７２３）。そしてメモリ制御部３０３は、全ての入力バッファのデータを、入力バッファのための領域とは異なる他の領域へ移動またはコピーして取得し（Ｓ７１５）、モニタ装置１１０の処理は終了する。
【０１０７】
またメモリ制御部２０４が、ＤＭＡ動作によるデータ書き込み処理を実行してからしばらく待機（Ｓ７０４）した後に、情報送信処理部２０５は、モニタ装置１１０からの受信完了通知があったか否かを判定する（Ｓ７０５）。受信完了通知がない場合（Ｓ７０５のＮｏ）、メモリ制御部２０４は再びＤＭＡ動作によるデータ書き込み処理を実行する（Ｓ７０３）。一方、受信完了通知があった場合（Ｓ７０５のＹｅｓ）、チューナ装置１０の処理は終了する。
【０１０８】
なお、このような動作の非ＡＶデータを伝送する情報伝送処理の変形例は、チューナ装置１０が映像音声情報を出力すべきタイミングを除いて、実行されることが好ましい。例えば、出力すべきタイミングは、放送波受信におけるチャンネル切り替え時や、入力手段の切り替え時、電源ＯＦＦ時などを適用することが可能となる。
【０１０９】
このようにして、チューナ装置１０とモニタ装置１１０との間で実行される通信の内容に応じて、映像音声情報のための伝送径路を利用して映像音声情報以外の情報がＤＭＡ動作を利用して短時間で伝送されるので、映像音声情報以外の情報伝送時間の短縮化を図ることができる。
【０１１０】
次に、図８を用いて、図７のシーケンスに基づいて実行される、非ＡＶデータを伝送する情報伝送処理の変形例の動作を説明する。
図８は、図７のシーケンスに基づいて実行される情報伝送処理の変形例のタイミングチャートを示す図である。
このタイミングチャートでは、モニタ装置１１０で利用されるデータが出力バッファの容量よりも大きいために、データ１およびデータ２の２つに分断されてデータ伝送が実行される例を示している。また、これ以降のタイミングチャートの説明では、主にチューナ装置１０に備えられたＤＲＡＭ５１内の出力バッファおよび、モニタ装置１１０に備えられたＤＲＡＭ１３１内の入力バッファに記録されるデータ内容の遷移に着目する。
【０１１１】
情報伝送処理が開始して、チューナ装置１０とモニタ装置１１０との間の通信により、チューナ装置１０が、送信開始通知に応じてモニタ装置１１０から送信される「準備完了通知」を受信すると、「出力バッファへのデータ書き込み」が開始される。このデータ書き込みはＤＭＡ動作により実行され、出力バッファのデータ内容は短時間で「データ１」に書き換えられる。また所定のタイミングで、出力バッファのデータは入力バッファ１へと「データ伝送」される。
【０１１２】
「出力バッファへのデータ書き込み」および「データ伝送」が完了すると、「入力バッファ１データ」に「データ１」が格納されるとともに、出力バッファに対するデータ２の「出力バッファへのデータ書き込み」が開始される。データ１と同様に、このデータ書き込みはＤＭＡ動作により実行され、出力バッファのデータ内容は短時間で「データ２」に書き換えられる。また所定のタイミングで、出力バッファのデータが入力バッファ２へと「データ伝送」される。
【０１１３】
この「出力バッファへのデータ書き込み」および「データ伝送」が完了すると、「入力バッファ２データ」に「データ２」が格納されるとともに、再び出力バッファに対するデータ１の「出力バッファへのデータ書き込み」が開始されて、前述した動作と同様の動作が実行される。
【０１１４】
このようにしてデータ１およびデータ２が、入力バッファ１および入力バッファ２へと順次伝送される。ここで、入力バッファ１，２はリングバッファであり、データ１，２には通し番号が付随されているので、データ１が入力バッファ２へ、データ２が入力バッファ１へと伝送されても、後に実行されるデータチェックでデータの順序が判断されるので問題ない。
【０１１５】
そして入力バッファ１，２に対するデータチェックで、受信したデータに問題ないことが確認されると、モニタ装置１１０は「受信完了通知」をチューナ装置１０へ送信する。
【０１１６】
このようにして、伝送するデータの容量が出力バッファの容量よりも大きい場合でも、チューナ装置１０とモニタ装置１１０との間で実行される通信の内容に応じて、映像音声情報のための伝送径路を利用して映像音声情報以外の情報がＤＭＡ動作を利用して短時間で伝送されるので、映像音声情報以外の情報伝送時間の短縮化を図ることができる。
【０１１７】
次に、図９を用いて、映像音声情報以外の情報を伝送する情報伝送処理の変形例におけるデータ遷移に関する、チューナ装置１０のＤＲＡＭ５１のメモリ空間および、モニタ装置１１０のＤＲＡＭ１３１のメモリ空間の概念図を説明する。
【０１１８】
図９は、情報伝送処理の変形例におけるデータ遷移に関する、チューナ装置１０のＤＲＡＭ５１のメモリ空間およびモニタ装置１１０のＤＲＡＭ１３１のメモリ空間の概念図である。
【０１１９】
図９に示す概念図においても、図８で示したタイミングチャートの例と同様に、モニタ装置１１０で利用されるデータが出力バッファの容量よりも大きいために、データ１およびデータ２の２つに分断されてＤＭＡ動作を利用したデータ伝送が実行される例を示している。
【０１２０】
すなわち、チューナ装置１０のＤＲＡＭ５１のメモリ空間には、ＤＭＡ領域とこれ以外の領域が設けられている。ＤＭＡ領域には、映像出力部６２に読み出される領域である出力バッファのための領域と、モニタ装置１１０で利用されるデータが格納（記憶）される領域であるデータ格納領域とが割り当てられている。またＤＭＡ領域以外の領域にも、モニタ装置１１０で利用されるデータが格納（記憶）される領域であるデータ格納領域が割り当てられている。この例では、モニタ装置１１０で利用されるデータの容量が、所定容量の出力バッファの容量よりも大きいため、モニタ装置１１０で利用されるデータを２つに分断して格納するようにしている。
【０１２１】
また、モニタ装置１１０のＤＲＡＭ１３１のメモリ空間には、映像入力部１２２に書き込まれる領域である入力バッファのための領域と、モニタ装置１１０で利用されるデータが格納（記憶）される領域であるデータ格納領域とが割り当てられている。この例では、チューナ装置１０から２つに分断されたデータが伝送されることが通知されているので、２つの入力バッファおよび、モニタ装置１１０で利用されるデータが格納される領域が設けられている。
【０１２２】
情報伝送処理の変形例におけるデータ送信側であるチューナ装置１０では、まずＤＭＡ領域以外に格納されたデータ１，２が、ＤＭＡ領域に設けられた、データ１，２を格納する領域に書き込まれる。そしてＤＭＡ領域のデータ１，２は、ＤＭＡ動作により出力バッファに交互に書き込まれ、映像出力部６２に読み出されてモニタ装置１１０へ順次出力される。
【０１２３】
情報伝送処理におけるデータ受信側であるモニタ装置１１０では、チューナ装置１０から順次入力されるデータ１，２が入力バッファ１，２に交互に格納される。そして入力バッファ１，２のデータが正しいことが確認された後、入力バッファ１，２とは異なる他の領域に、入力バッファ１，２のデータが書き込まれて格納される。
【０１２４】
このようにして、出力バッファと入力バッファとを用いた映像音声情報の伝送と同様の伝送径路によって、ＤＭＡ動作を利用して短時間で映像音声情報以外の情報が伝送されるので、映像音声情報以外の情報伝送時間の短縮化を図ることができる。
【０１２５】
以上説明したように本実施形態によれば、映像音声情報を伝送するための伝送径路を利用して、伝送すべき映像音声情報に置き換えて映像音声情報以外の情報を伝送することができるので、機器間の映像音声情報以外の情報伝送時間の短縮化を図ることができる。
【０１２６】
また本発明は、上述した実施形態に限定されるものではなく、本発明の要旨を変えない範囲において、種々の変更、改変等が可能である。
【符号の説明】
【０１２７】
１０…チューナ装置、２０…放送波処理部、２１…ＡＶ信号入力部、２２…ネットワークＩＦ部、３１…操作部、３２…受光部、４０…信号処理制御部、５１…ＤＲＡＭ、６１…通信部、６２…映像出力部、７０…接続端子、１１０…モニタ装置、１２１…通信部、１２２…映像入力部、１３１…ＤＲＡＭ、１３２…ＮＶメモリ、１４０…信号処理制御部、１５１…表示器、１５２…スピーカ、１６０…接続端子、２０１…映像処理部、２０２…情報取得部、２０３…同期制御部、２０４…メモリ制御部、２０５…情報送信処理部、３０１…映像処理部、３０２…音声処理部、３０３…メモリ制御部、３０４…情報受信処理部。
【図１】
2015039051.tif 000003
【図２】
2015039051.tif 000004
【図３】
2015039051.tif 000005
【図４】
2015039051.tif 000006
【図５】
2015039051.tif 000007
【図６】
2015039051.tif 000008
【図７】
2015039051.tif 000009
【図８】
2015039051.tif 000010
【図９】
2015039051.tif 000011